(57)【要約】  【課題】  ユーザーの利便性を向上させる。  【解決手段】  ＣＰＵ１１６は、動作モード変更の指示を受け付けると、当該指示が遠隔操作器２０から受け付けたものか、モードダイヤル１１８ｍから受け付けたものかを判別する。  モード変更の指示が遠隔操作器２０から受け付けたものである場合、モードダイヤル１１８ｍから出力される指示信号を無効化し、ＬＥＤライト１２０を消灯させる。その後、遠隔操作器２０から受け付けた指示信号にしたがって動作モードを設定する。  モード変更の指示がモードダイヤル１１８ｍから受け付けたものである場合、遠隔操作器２０から出力される指示信号を無効化し、ＬＥＤライト１２０を点灯させる。その後、モードダイヤル１１８ｍから受け付けた指示信号にしたがって動作モードを設定する。【選択図】    図１
2013078008.tif 000002
【特許請求の範囲】
【請求項１】
ユーザからの動作モード選択操作に応じて自装置の動作モードを設定し、選択された動作モードに応じた第１動作モード信号を出力する動作モード設定手段、
遠隔操作器からの動作モード選択信号を受信し、当該動作モード選択信号に応じた第２動作モード信号を出力する通信部、
前記第１動作モード信号及び前記第２動作モード信号のいずれかに従って自装置を制御する制御部、および
自装置の状態を報知する報知部を備え、
前記報知部は、前記制御部が前記第１動作モード信号及び前記第２動作モード信号のいずれに従って自装置を制御しているかを報知することを特徴とする電子機器。  
【請求項２】
前記動作モード設定手段は、第１動作モード信号を継続して出力するものであり、
自装置が前記第１動作モード信号に従って制御されている場合において、前記制御部は、前記通信部から第２動作モード信号を取得したときは、前記第１動作モード信号を無効化するとともに、前記第２動作モード信号に従って自装置を制御する
ことを特徴とする請求項１記載の電子機器。
【請求項３】
前記動作モード設定手段からの第１動作モード信号が無効化され、自装置が前記通信部からの第２動作モード信号に従って制御されている場合において、
ユーザからの動作モード選択操作、或いは自装置に対するその他の操作があったときは、前記制御部は、前記第１動作モード信号を有効化するとともに、当該第１動作モード信号に従って自装置を制御することを特徴とする請求項２記載の電子機器。
【請求項４】
前記報知部は、光出力部および音声出力部の少なくとも一方を備えることを特徴とする請求項１乃至３記載の電子機器。
【発明の詳細な説明】
【技術分野】
【０００１】
本発明は、電子機器に関し、特に遠隔操作によって電子機器に処理・動作を実行させることに関する。
【背景技術】
【０００２】
近年、多種多様な電子機器が普及している。
【０００３】
その一例として、撮影レンズを介して撮像素子に結像させた被写体の光学像を光電変換することにより出力される画像信号を、静止画像や動画像として記録媒体等に記録させるデジタルカメラがある。
【０００４】
この種のデジタルカメラには、静止画撮影モード、動画撮影モード、および画像再生モードなどの各種動作モードをモードダイヤルによって切り換え可能なものがある。
【０００５】
例えば、特許文献１には、モードダイヤルを備え、このモードダイヤルを回転させることで各種動作モードを切り換え可能なデジタルカメラが開示されている。
【０００６】
一方、リモートコントローラ（以下、リモコンと記載する。）などの外部機器や外部端末などから遠隔操作することが可能なデジタルカメラも普及している。
【０００７】
例えば、特許文献２には、遠隔操作器からの指令信号を受信し、この指令信号により、カメラの動作を制御することが可能なカメラシステムが開示されている。
【先行技術文献】
【特許文献】
【０００８】
【特許文献１】特開２００１−１４２６２２号公報
【特許文献２】特開平１０−１０５１５号公報
【発明の概要】
【発明が解決しようとする課題】
【０００９】
モードダイヤルを備えるデジタルカメラをリモコンによって遠隔操作する場合、リモコンを介して指示した動作または制御内容とモードダイヤルが示す状態とに齟齬が生じるおそれがある。
【００１０】
例えば、モードダイヤルによって静止画撮影モードに設定されたデジタルカメラに対して、リモコンによる遠隔操作によって静止画撮影モードから動画撮影モードへのモード切り換え指示が行われたとする。
【００１１】
この場合、デジタルカメラはリモコンから出力される指示信号を受信して、動作モードは静止画撮影モードから動画撮影モードに切り換えられる。
【００１２】
しかしなから、モードダイヤルは静止画撮影モードにセットされた状態のままであり、ユーザーにとってリモコンで指示を行った設定が反映されているかわかりづらい。
【課題を解決するための手段】
【００１３】
本発明は、上記課題に鑑みてなされたものであり、本願発明にかかるデジタルカメラは、ユーザからの動作モード選択操作に応じて自装置の動作モードを設定し、選択された動作モードに応じた第１動作モード信号を出力する動作モード設定手段、遠隔操作器からの動作モード選択信号を受信し、当該動作モード選択信号に応じた第２動作モード信号を出力する通信部、前記第１動作モード信号及び前記第２動作モード信号のいずれかに従って自装置を制御する制御部、および自装置の状態を報知する報知部を備え、前記報知部は、前記制御部が前記第１動作モード信号及び前記第２動作モード信号のいずれに従って自装置を制御しているかを報知することを特徴とする。
【発明の効果】
【００１４】
本発明によると、デジタルカメラを外部機器によって遠隔操作する場合におけるユーザーの利便性が向上する。
【図面の簡単な説明】
【００１５】
【図１】本発明にかかる撮像装置１０、及び遠隔操作器２０の内部構成の概略を示すブロック図である。
【図２】本発明にかかる撮像装置１０の外観の概略を示す図解図である。
【図３】本発明にかかる撮像装置１０の他の外観の概略を示す図解図である。
【図４】本発明にかかる遠隔操作器２０の外観の概略を示す図解図である。
【図５】本発明にかかる動作モード変更処理の処理動作を示すフローチャートである。
【図６】本発明にかかる動作モード変更処理の処理動作を示す他のフローチャートである。
【図７】露出調整ダイヤルを備える撮像装置の一例を示す図解図である。
【実施例】
【００１６】
（撮像装置１０、および遠隔操作器２０の構成）
本発明の一実施形態を説明する。図１は本発明に係る撮像装置１０、および遠隔操作器２０の構成の概略を示すブロック図である。
【００１７】
撮像装置１０は、ＣＣＤ（Charge Coupled Device）イメージセンサ、ＣＭＯＳ（Complementary Metal Oxide Semiconductor）イメージセンサ等の固体撮像素子（イメージセンサ）と、被写体の撮影画角を変更するためのズームレンズ、被写体にピントを合わせる為のフォーカスレンズ、露光量を調整するための絞りなどを備える撮像部１０２を備える。
【００１８】
撮像装置１０は、撮像部１０２が捉えた被写体に相当する画像（以下、被写体画像と記載する。）等を一時記録するメモリ１０４を備える。
【００１９】
撮像装置１０は、メモリ１０４に一時記録された被写体画像に色補間処理、ホワイトバランス調整、ノイズリダクション処理等の各種画像処理を施す画像処理部１０６を備える。
【００２０】
撮像装置１０は、画像処理部１０６で処理された被写体画像が静止画である場合はＪＰＥＧ（Joint Photographic Experts Group）方式、動画である場合はＭＰＥＧ（Moving Picture Experts Group）方式などにより該被写体画像に圧縮符号化処理を施し、圧縮画像信号を生成する画像コーデック部１０８を備える。
【００２１】
撮像装置１０は、被写体画像を表示する表示部１１０、撮影された被写体画像を記録する記録媒体１１２を備える。
【００２２】
撮像装置１０は、後述する遠隔操作器２０から出力される、撮像装置１０の動作制御を指示する指示信号を受信する受信部、および撮像装置の設定状態や記録媒体１１２に記録されているデータを送信するための送信部を含む通信部１１４を備える。
【００２３】
撮像装置１０の各種動作を制御するＣＰＵ（Central Processing Unit）１１６を備える。
【００２４】
撮像装置１０は、ユーザからの操作を受け付け、当該操作に応じた指示をＣＰＵ１１６に与える操作部１１８を備える。
【００２５】
撮像装置１０は、遠隔操作器２０から指示信号を受け付けた場合に、当該指示信号に対応する動作制御を実行中であることを報知するＬＥＤ（Light Emitting Diode）ライト１２０を備える。
【００２６】
メモリ１０４は、例えば、ＶＲＡＭ（Video Random Access Memory）、ＳＲＡＭ（Static Random Access Memory）、ＤＲＡＭ（Dynamic Random Access Memory）、或いはＳＤＲＡＭ（Synchronous DRAM）などの一般的に用いられているメモリが使用される。
【００２７】
操作部１１８は、撮影処理を実行させるシャッタボタン１１８ｓ、撮像装置１の動作モードを変更するためのモードダイヤル１１８ｍ、ズームレンズを駆動させ、被写体のズーム倍率を調節するズームスイッチ（図示せず。）などを備える。
【００２８】
表示部１１０は、例えば、ＬＣＤ（Liquid Crystal Display）モニタや有機ＥＬ（Electro-Luminescence）モニタが使用される。また、表示部１１０は、人の指の接触を感知するタッチパネル式であっても構わない。
【００２９】
記録媒体１１２は、例えば、フラッシュメモリや内蔵型ＨＤＤ（Hard Disk Drive）などの撮像装置１０に内蔵される内部記録媒体が使用される。
【００３０】
或いは、内蔵記録媒体の代わりにＳＤメモリカードやメモリスティック（登録商標）、外付けＨＤＤなどの撮像装置１０への着脱が自在な外部記録媒体が使用される。
【００３１】
次に、撮像装置１０を遠隔操作するための遠隔操作器２０の内部構成の概略について説明する。
【００３２】
遠隔操作器２０は、撮像装置１０に対して動作制御を指示する指示信号を送信する送信部、および撮像装置１０から送信される、撮像装置１０の設定状態を示す情報や記録媒体１１２に記録されている画像データなどの各種データを受信するための受信部を含む通信部２０２を備える。
【００３３】
また、遠隔操作器２０は、受信した情報やデータなどを一時記憶するメモリ２０４を備える。
【００３４】
また、遠隔操作器２０は、撮像装置１０から画像データ受信した場合に、当該画像データに伸張処理を施す画像コーデック部２０６を備える。
【００３５】
また、遠隔操作器２０は、遠隔操作器２０が備える各部の処理動作を制御するＣＰＵ２０８、各種データの表示を行う表示部２１０、操作部２１２を備える。
【００３６】
図２は、撮像装置１０の外観を示す図解図である。図２に示す態様で撮像部１０２、シャッタボタン１１８ｓ、およびモードダイヤル１１８ｍが配置されている。
【００３７】
尚、この配置は一例であり、シャッタボタン１１８ｓおよびモードダイヤル１１８ｍは、いずれか一方または両方が、例えば、撮像部１０２が配置された面の裏面に配置されていてもよい。
【００３８】
モードダイヤル１１８ｍには、選択する動作モードを示すマーク（記号）Ｍが表示されている。
【００３９】
本実施例では、マークｍ１は静止画撮影モード、マークｍ２は動画撮影モード、マークｍ３は記録媒体１１２に記録されている画像を再生する再生モードを示している。
【００４０】
尚、マークの図柄はこの限りではなく、異なる図柄のマークを使用するようにしてもよい。
【００４１】
モードダイヤル１１８ｍは回動可能に配設され、モードダイヤル１１８ｍの近傍にはモード指標Ｃが表示されている。
【００４２】
モードダイヤル１１８ｍを回動させ、マークＭのうち、モード指標Ｃと一致する位置まで回動されたマークＭが示す動作モードが現在設定されている動作モードとなる。
【００４３】
図２では、動画撮影モードを示すマークｍ２がモード指標Ｃと一致する位置に回動されている。
【００４４】
したがって、モードダイヤル１１８ｍからＣＰＵ１１６に対して、動作モードを動画撮影モードに設定する指示信号が出力される。
【００４５】
ＣＰＵ２０８は指示信号を受けて撮像装置１０の動作モードを動画撮影モードに設定する。
【００４６】
図３は、撮像装置１０を図２の矢印Ｘが示す方向から見た場合の外観を示す図解図である。
【００４７】
撮像部１０２の下部には、通信部１１４が配置され、撮像部１０２の上近傍には、ＬＥＤライト１２０が配置されている。
【００４８】
尚、通信部１１４およびＬＥＤライト１２０の配置は一例であり、撮像部１０２が配設された面と異なる面に通信部１１４およびＬＥＤライト１２０を配設するようにしてもよい。
【００４９】
図４は、遠隔操作器２０から撮像装置１０へ動作モード変更指示を行う場合の模式図である。
【００５０】
遠隔操作器２０を使用して動作モードを変更する場合、操作部２１２を操作し、モード選択画面を呼び出し、カーソルＡを操作することで所望の動作モードが選択される。
【００５１】
所望の動作モードが選択されると、ＣＰＵ２０８は、指示信号を生成し、この指示信号を通信部２０２を介して撮像装置１０に送信する。
【００５２】
例えば、静止画撮影モードが選択された場合、ＣＰＵ２０８は、撮像装置の動作モードを静止画撮影モードに変更させる内容の指示信号生成し、通信部２０２を介して撮像装置１０に送信する。
【００５３】
撮像装置１０の通信部１１４は、指示信号を受信すると、受信した指示信号をＣＰＵ１１６に出力する。
【００５４】
ＣＰＵ１１６は、指示信号を受けて、撮像装置１０の動作モードを静止画撮影モードに設定する。
【００５５】
（撮像装置１０の動作モード変更）
次に、撮像装置１０の動作モードを変更する場合の処理動作について説明する。
【００５６】
撮像装置１０の電源がオンされると、撮像装置１０は、ＬＥＤライト１２０を点灯させ、モードダイヤル１１８ｍの設定に応じて、撮像装置１０の動作モードを設定する。
【００５７】
モードダイヤル１１８ｍが動画撮影モード、または静止画撮影モードに設定されている場合、撮像装置１０の駆動モードつまり撮像素子２の駆動モードがプレビューモードに設定される。
【００５８】
プレビューモードでは、撮像素子の光電変換動作によって得られたアナログの画像信号が、ＡＦＥ（図示せず。）でデジタル画像信号に変換される。
【００５９】
デジタル画像信号は、画像処理部１０６で色分離、ホワイトバランス調整、ＹＵＶ変換などの画像処理が施され、メモリ１０４に書き込まれる。
【００６０】
メモリ１０４に書き込まれた画像信号は、逐次、表示部１１０に表示される。この結果、所定期間毎（例えば、１/３０秒毎や１/５０秒毎）に撮影領域を表すリアルタイム動画像（プレビュー画像）が表示部２０に逐次表示される。
【００６１】
このプレビュー画像は、通信部１１４を介して遠隔操作器２０にも送信される。遠隔操作器２０の通信部２０２から受信されたプレビュー画像はメモリ２０４に逐次書き込まれる。
【００６２】
そしてメモリ２０４に書き込まれたプレビュー画像は、表示部２１０に逐次表示される。
【００６３】
プレビューモード中は、撮像装置１０は指示待ち状態であり、動作モード変更指示、撮像指示、撮像条件変更指示などの各種設定変更を行うことができる。
【００６４】
また、シャッタボタン１１８ｓを操作、または遠隔操作器２０の操作部２１２を操作することで、動画撮影モードである場合は動画像、静止画撮影モードである場合は静止画像の撮影を行うことができる。
【００６５】
また、ＣＰＵ１１６は、現在の撮像装置１０の設定状態を示す状態情報生成し、通信部１１４を介して遠隔操作器２０に送信する。
【００６６】
状態情報には、例えば、現在設定されている動作モード、記録媒体１１２の空き容量などの情報が含まれる。
【００６７】
通信部２０８は状態情報を受信すると、受信した状態情報をメモリ２０４に一時記憶する。
【００６８】
ＣＰＵ２０８は、メモリ２０４に一時記録された状態情報を読み出し、表示部２１０に表示させる。
【００６９】
ＣＰＵ１１６は、プレビューモード中、即ち、指示待ち状態時に動作モード変更の指示信号を受信すると、受信した指示信号の内容に従い、撮像装置１０の動作モードの変更を行う。
【００７０】
次に、ＣＰＵ１１６は、この指示信号が遠隔操作器２０から出力されたものか、モードダイヤル１１８ｍから出力されたものかを判別する。
【００７１】
指示信号が遠隔操作器２０から出力されたものか、モードダイヤル１１８ｍから出力されたものかは、指示信号の出力元が通信部１１４であるか否かで判断できる。
【００７２】
即ち、ＣＰＵ１１６は、指示信号の出力元が通信部１１４からであった場合は、遠隔操作器２０から出力された指示であると判断する。
【００７３】
ＣＰＵ１１６は、指示信号の出力元が通信部１１４からでなかった場合はモードダイヤル１１８ｍから出力された指示であると判断する。
【００７４】
指示信号の出力元が通信部１１４からであった場合、モードダイヤル１１８ｍから出力される指示信号は無効化される。
【００７５】
これは、モードダイヤル１１８ｍからは、常に指示信号が出力されているため、遠隔操作器２０から出力される指示信号との混在を回避するためである。
【００７６】
これに対して遠隔操作器２０から出力される指示信号は、動作モード変更指示が送信されたときのみであり、モードダイヤル１１８ｍのように常に指示信号が出力されることはない。
【００７７】
そして、通信部１１４から出力される指示信号にしたがって、動作モードが変更される。
【００７８】
尚、モードダイヤル１１８ｍから出力される指示信号が無効化された状態で、モードダイヤル１１８ｍ以外の操作部１１８（例えば、シャッタボタン１１８ｓなど。）が操作された場合、モードダイヤル１１８ｍから出力される指示信号の無効化は解除される。
【００７９】
ＣＰＵ１１６は、ＬＥＤライト１２０が点灯状態であるか否かを判別し、点灯状態である場合は、消灯指示を発行する。
【００８０】
ＬＥＤライト１２０はＣＰＵ１１６からの消灯指示を受けて消灯する。
【００８１】
一方、指示信号がモードダイヤル１１８ｍから出力されたものである場合は、ＣＰＵ１１６は、モードダイヤル１１８ｍから出力される指示信号にしたがって、動作モードを変更する。
【００８２】
通信部１１４から出力される指示信号にしたがって、動作モードが変更された後、モードダイヤル１１８ｍが操作された場合について説明する。
【００８３】
上述したように、モードダイヤル１１８ｍからは常に指示信号が出力されている。
【００８４】
遠隔操作器２０から指示信号を受け付けた場合、モードダイヤル１１８ｍから出力された指示は無効化されているが、ＣＰＵ１１６は、常にモードダイヤル１１８ｍから出力される指示信号を受信している。
【００８５】
そのため、ＣＰＵ１１６は、遠隔操作器２０から受信した指示が有効な場合においても、モードダイヤル１１８ｍが操作されることで動作モード変更がなされたか否かを、モードダイヤル１１８ｍから出力される指示信号の内容が切り換わったことで検知することができる。
【００８６】
モードダイヤル１１８ｍが操作されることで動作モード変更がなされた場合、ＣＰＵ１１６は、ＬＥＤライト１２０が消灯状態であるか否かを判別し、消灯状態である場合は、点灯指示を発行する。
【００８７】
ＬＥＤライト１２０はＣＰＵ１１６からの点灯指示を受けて点灯する。
【００８８】
そして、ＣＰＵ１１６は、モードダイヤル１１８ｍから出力される指示信号の無効化を解除し、モードダイヤル１１８ｍから出力される指示信号にしたがって、撮像装置１０の動作モードを変更する。
【００８９】
上述した処理動作を繰り返すことで、モードダイヤル１１８ｍによって行われたモード設定が有効である場合はＬＥＤライト１２０が点灯され、遠隔操作器２０によって行われたモード設定が有効である場合はＬＥＤライトが消灯される。
【００９０】
また、例えば、撮像装置１０がモードダイヤル１１８ｍによって動画撮影モードに設定変更された状態で、遠隔操作器２０によって、動画撮影モードへの変更指示がなされた場合も上述の処理を行う。
【００９１】
この場合、すでに動画撮影モードに設定されているため、動作モードの変更は行われず、表面上はＬＥＤの点灯または消灯が行われるのみである。
【００９２】
また、ＣＰＵ１１６は、モードダイヤル１１８ｍまたは遠隔操作器２０によって、動作モード変更指示が行われる毎に状態情報の更新を行い、更新が完了すると状態情報を通信部１１４を介して遠隔操作器２０へ送信する。
【００９３】
ＣＰＵ２０８は、メモリ２０４に一時記憶された状態情報を上書きし、上書きされた状態情報を表示部２１０に表示させる。
【００９４】
上述した処理を繰り返すことで、遠隔操作器２０から出力された指示信号による動作モードが設定された場合、即ち、モードダイヤル１１８ｍから出力される指示信号が無効化されている間はＬＥＤライト１２０が消灯される。
【００９５】
一方、モードダイヤル１１８ｍから出力された指示信号による動作モードが設定された場合、即ち、遠隔操作器２０から出力される指示信号が無効化されている間はＬＥＤライト１２０が点灯される。
【００９６】
これにより、ユーザーは、遠隔操作器２０から出力された指示が撮像装置１０に反映されているか否かを容易に把握することができる。
【００９７】
図５および図６は、本実施の形態にかかる撮像装置１０の動作モード変更処理動作を示すフローチャートである。
【００９８】
ステップＳ５０１では、ＬＥＤ１２０を点灯させる。ステップＳ５０３では、モードダイヤル１１８ｍから出力される指示信号にしたがって撮像装置１０の動作モードを設定する。
【００９９】
ステップＳ５０５では、状態情報を生成し、遠隔操作器２０に送信する。
【０１００】
ステップＳ５０７では、動作モードを変更する指示信号を受信したか否かを判別する。指示信号を受信した場合はステップＳ５０９に進み、そうでない場合はステップＳ５３５に進む。
【０１０１】
ステップＳ５０９では、受信した指示信号が遠隔操作器２０から出力されたものであるか否かを判別する。遠隔操作器２０から出力された指示信号である場合はステップＳ５１１に進み、そうでない場合はステップＳ５０３に進む。
【０１０２】
ステップＳ５１１では、モードダイヤル１１８ｍから出力される指示信号が無効化される。
【０１０３】
ステップＳ５１３では、ＬＥＤライト１２０が点灯中であるか否かを判別する。ＬＥＤライト１２０が点灯中である場合はステップＳ５１５へ進み、そうでない場合は、ステップＳ５１７に進む。
【０１０４】
ステップＳ５１５では、ＬＥＤライト１２０に消灯指示を発行し消灯させる。ステップＳ５１７では、遠隔操作器２０から出力される指示信号にしたがって動作モードを設定する。
【０１０５】
ステップＳ５１９では、状態情報を更新し、遠隔操作器２０に送信する。
【０１０６】
ステップＳ５２１では、動作モードを変更する指示信号を受信したか否かを判別する。指示信号を受け付けた場合はステップＳ５２３に進み、そうでない場合はステップＳ５３７に進む。
【０１０７】
ステップＳ５２３では、受信した指示信号がモードダイヤル１１８ｍの操作によって出力されたものであるか否かを判別する。モードダイヤル１１８ｍから出力された指示信号である場合はステップＳ５２５に進み、そうでない場合はステップＳ５１３に進む。
【０１０８】
ステップＳ５２５では、ＬＥＤライト１２０が消灯中であるか否かを判別する。ＬＥＤライト１２０が消灯中である場合はステップＳ５３１へ進み、そうでない場合は、ステップＳ５２７に進む。
【０１０９】
ステップＳ５２７では、ＬＥＤライト１２０に点灯指示を発行し点灯させる。
【０１１０】
ステップＳ５２９では、モードダイヤル１１８ｍから出力される指示信号の無効化を解除する。ステップＳ５３１では、モードダイヤル１１８ｍから出力される指示信号にしたがって動作モードを設定する。
ステップＳ５３３では、状態情報を更新し、遠隔操作器２０に送信する。
【０１１１】
ステップＳ５３５では、電源オフ操作がなされた否かを判別する。電源オフ操作がなされた場合は動作モード変更処理動作を終了する。そうでない場合は、ステップＳ５０７に進む。
【０１１２】
ステップＳ５３７では、電源オフ操作がなされた否かを判別する。電源オフ操作がなされた場合は動作モード変更処理動作を終了する。そうでない場合は、ステップＳ５２１に進む。
【０１１３】
上記実施例では、表示部を備える撮像装置を例として説明してきたが、例えば、カメラモジュールや監視カメラなどのような装置本体に表示部を備えていない撮像装置に対しても本発明を適用することができる。
【０１１４】
また、上記実施例では、モードダイヤル１１８ｍから出力される指示信号が有効な場合にＬＥＤライト１２０を点灯させ、遠隔操作器２０から出力される指示信号が有効な場合にＬＥＤライト１２０を消灯させるようにしているが、この限りではない。
【０１１５】
例えば、モードダイヤル１１８ｍから出力される指示信号が有効な場合にＬＥＤライト１２０を消灯させ、遠隔操作器２０から出力される指示信号が有効な場合にＬＥＤライト１２０を点灯させるようにしてもよい。
【０１１６】
また、ＬＥＤライト１２０点灯させ続けるのではなく点滅などの動作によって報知を行うようにしてもよい。
【０１１７】
また、報知にＬＥＤライト１２０を使用するのではなく、例えば、スピーカーなどを備えるカメラである場合はスピーカーから所定の音声を出力させることで報知を行うようにしてもよい。
【０１１８】
また、動作モードの変更だけでなく、例えば、図７に示すような、露出調整ダイヤル１１８ｅを備え、且つ、遠隔操作器による露出調整も行える撮像装置にも適用することができる。
【０１１９】
以上、本発明の一実施例について説明したが、本発明はこれらの実施例に限定されず、その要旨の範囲内で変形及び変更が可能である。
【符号の説明】
【０１２０】
１０２      撮像素子
１０４      メモリ
１０６      画像処理部
１０８      画像コーデック部
１１０      表示部
１１２      記録媒体
１１４      通信部
１１６      ＣＰＵ
１１８      操作部
１１８ｍ    モードダイヤル
１１８ｓ    シャッタボタン
１２０      ＬＥＤライト
２０２      通信部
２０４      メモリ
２０６      画像コーデック部
２０８      ＣＰＵ
２１０      表示部
２１２      操作部
【図１】
2013078008.tif 000003
【図２】
2013078008.tif 000004
【図３】
2013078008.tif 000005
【図４】
2013078008.tif 000006
【図５】
2013078008.tif 000007
【図６】
2013078008.tif 000008
【図７】
2013078008.tif 000009